(57)【要約】【課題】被写体中に人が存在するときに撮影補助光を伴う撮影が行なわれたとしても、その人に不快感を持たせる様なことのない撮影装置を提供する。  【解決手段】システム制御回路は、ＴＴＬ測光（ＡＥ）を行なって被写界輝度を測定することによりシャッタ秒時を定める。さらにＴＴＬ測距（ＡＦ）および顔抽出によって顔（人）までの距離を検出してその距離に基づいて適正光量となる発光量を算出する。さらにその発光量をシャッタ秒時で除して除した光量でシャッタボタンの全押しに同期して発光部に撮影補助光をシャッタ秒時中継続して照射させる。【選択図】  図５
2007187855.tif 000002
【特許請求の範囲】
【請求項１】
撮影光学系により撮像素子上に被写体像を結像して画像信号を生成する撮影装置において、
発光素子を備え、撮影時に被写体に向けて撮影補助光を照射する発光部と、
被写界輝度を測定する測光部と、
被写体距離を測定する測距部と、
補助光発光を伴う撮影時に、前記被写界輝度に応じてシャッタ秒時を定めた後、前記発光部に、該被写体輝度と前記被写体距離との双方に応じた発光量を算出して算出した発光量を前記シャッタ秒時で除した光量でシャッタ秒時中継続的に撮影補助光を照射させる発光制御部とを備えたことを特徴とする撮影装置。
【請求項２】
前記発光素子がＬＥＤであることを特徴とする請求項１記載の撮影装置。
【請求項３】
前記発光素子が有機ＥＬであることを特徴とする請求項１記載の撮影装置。
【請求項４】
被写体中の人の顔を抽出する顔抽出部を備え、
前記測距部は、前記顔抽出部により顔が抽出されたときに被写体中の顔までの被写体距離を測定するものであることを特徴とする請求項１記載の撮影装置。
【請求項５】
この撮影装置は、さらに、キセノン管を備え、被写体に向けて撮影補助光を照射する撮影補助光発光部を備えたものであって、
前記発光制御部は、前記測距部の検出結果に基づいて、所定の距離以内に前記顔抽出部により抽出された顔が在ると判定した場合には、前記発光部に補助光発光を発光させ、前記所定の距離を越える距離に前記顔抽出部により抽出された顔が在ると判定した場合、もしくは被写体中には顔が存在しないと判定した場合には、前記撮影補助光発光部に撮影補助光を照射させるものであることを備えたことを特徴とする請求項４記載の撮影装置。
【発明の詳細な説明】
【技術分野】
【０００１】
本発明は、撮影光学系により撮像素子上に被写体像を結像して画像信号を生成する撮影装置に関する。
【背景技術】
【０００２】
被写界輝度が暗いときには撮像素子の受光面に十分な撮影光量が与えられないため、撮影光量を確保するために撮影補助光が被写体に照射され撮影が行なわれる。特に自己撮り撮影等の室内撮影においては、蛍光灯などの室内灯の照明光が十分ではないことが多いため、撮影補助光を伴う撮影が行なわれることが多い。この撮影補助光は通常瞬間パルス状の閃光が採用され、被写体となっている人物に眩しさを感じさせ不快に思われることがある。
【０００３】
また、人が被写体となって撮影が行なわれるときに撮影補助光がいきなり照射されると、いわゆる「赤目」が発生する恐れがあるため、本発光を行なう前にプリ発光を行なって眼を発光に慣らすようにしてから本発光を行なうようにしている撮影装置もある（例えば特許文献１参照）。
【０００４】
しかし、特許文献１のもののように赤目を防止するためにパルス状のプリ発光が行なわれると被写体側にいる人によってはそのプリ発光の光が眩しいと感じられる人もいる。もしもプリ発光が眩しいと感じられる人がいると、本発光に対しての不快感を募らせてしまって本発光を伴う撮影時に被写体側の人の表情に不快感を漂わせてしまうようなケースも出てくる。このような不快感をユーザに持たせることは、撮影装置を製作する側にとってはあまり好ましい状況とはいえない。
【特許文献１】特開２００３−１４０２３６号公報
【発明の開示】
【発明が解決しようとする課題】
【０００５】
本発明は、上記事情に鑑み、被写体の中に人が存在するときに撮影補助光を伴う撮影が行なわれたとしても、その人に不快感を持たせる様なことのない撮影装置を提供することを目的とする。
【課題を解決するための手段】
【０００６】
上記目的を達成する本発明の撮影装置は、撮影光学系により撮像素子上に被写体像を結像して画像信号を生成する撮影装置において、
発光素子を備え、撮影時に被写体に向けて撮影補助光を照射する発光部と、
被写界輝度を測定する測光部と、
被写体距離を測定する測距部と、
補助光発光を伴う撮影時に、上記被写界輝度に応じてシャッタ秒時を定めた後、上記発光部に、その被写体輝度と上記被写体距離との双方に応じた発光量を算出して算出した発光量を上記シャッタ秒時で除した光量でシャッタ秒時中継続的に撮影補助光を照射させる発光制御部とを備えたことを特徴とする。
【０００７】
上記本発明の撮影装置によれば、上記発光制御部が、上記発光部に、シャッタ秒時中継続的に所定の光量で撮影補助光を照射させることになるため、被写体側に人がいたとしてもその人に眩しいと感じさせ不快に思わせるようなことが回避される。
【０００８】
以上説明したように、被写体の中に人が存在するときに撮影補助光を伴う撮影が行なわれたとしても、その人に不快感を持たせる様なことのない撮影装置が実現する。
【０００９】
ここで、上記発光素子は、ＬＥＤであっても、有機ＥＬであっても良い。
【００１０】
また、被写体中の人の顔を抽出する顔抽出部を備え、
上記測距部は、上記顔抽出部により顔が抽出されたときに被写体中の顔までの被写体距離を測定するものであることが好ましい。
【００１１】
上記課題に掲げた問題は、被写体の中に人がいるときにしか問題にならない。
【００１２】
そこで、上記顔抽出部によって被写体中に人がいるかどうかを判定することができるようにしている。このようにしておくと、人がいると判定したときに上記発光制御部に撮影補助光の照射を継続的に行なわせれば良いことになる。
【００１３】
ここで、この撮影装置は、さらに、キセノン管を備え、被写体に向けて撮影補助光を発光する撮影補助光発光部を備えたものであって、
上記発光制御部は、上記測距部の検出結果に基づいて、所定の距離以内に上記顔抽出部により抽出された顔が在ると判定した場合には、上記発光部に補助光発光を発光させ、上記所定の距離を越える距離に上記顔抽出部により抽出された顔が在ると判定した場合、もしくは被写体中には顔が存在しないと判定した場合には、上記撮影補助光発光部に撮影補助光を発光させるものであることが好ましい。
【００１４】
上記発光素子はＬＥＤであっても有機ＥＬであっても発光電力が小さいため、それらのうちのいずれかの発光素子を備えた発光部だけでは、遠くにいる被写体にまで撮影補助光を到達させることができない場合が出てくる。また、上記顔抽出部により被写体中に人がいないと判定されたときにはわざわざ上記発光部を用いて継続的に撮影補助光を照射させる必要はない。
【００１５】
そこで、上記発光部に加えて、上記キセノン管を備えた撮影補助光発光部をさらに配備し、上記顔が在るところまでの被写体距離が上記所定の距離を超える場合、もしくは人が存在しない場合には、上記発光部ではなく上記キセノン管の方を用いて撮影補助光を照射させるようにしておくと撮影状況に応じて好適な撮影補助光の照射が行なわれるようになる。
【発明の効果】
【００１６】
以上説明したように、被写体の中に人が存在するときに撮影補助光を伴う撮影が行なわれたとしても、その人に不快感を持たせる様なことのない撮影装置が実現する。
【発明を実施するための最良の形態】
【００１７】
以下、図面を参照して本発明の実施の形態を説明する。
【００１８】
図１は本発明の一実施形態であるデジタルカメラ１の外観を示す図である。
【００１９】
図１に示すデジタルカメラ１の正面右方にはレンズ鏡胴１００が備えられている。そのレンズ鏡胴１００内に撮影レンズ１０２１が内蔵されている。またそのレンズ鏡胴１００の右斜め上方にはファインダ１０１が備えられており、そのファインダ１０１の横方であってレンズ鏡胴の上方には発光窓１０２が備えられている。この発光窓１０２からは、後述するシステム制御回路によって撮影補助光の照射が必要であると判定された場合に被写体に向けて撮影補助光が照射されるようになっている。またボディ上面にはシャッタボタン１０４が備えられている。
【００２０】
また、図１（ｂ）に示すようにボディ背面には表示画面１５０１が備えられており、その表示画面１５０１の上方にはファインダ１０１の接眼窓やモードスイッチ１０３、さらにズームスイッチ１０６が備えられている。
【００２１】
なお、図示はしていないが、そのほかに画像表示のｏｎ／ｏｆｆを切り替えるスイッチ等も備えられている。
【００２２】
図２は、図１のデジタルカメラ１の内部の構成を示す構成ブロック図である。
【００２３】
図２を参照してデジタルカメラ１内部の構成を説明する。
【００２４】
本実施形態のデジタルカメラ１ではすべての処理がシステム制御回路１１０によって制御されている。このシステム制御回路１１０の入力部には図１に示したモードスイッチ１０３、シャッタボタン１０４、ズームスイッチ１０６等の操作子が接続されていてそれらの操作子のうちの少なくともいずれかの操作により操作信号がこのシステム制御回路１１０に供給されてくると、それらの操作子の操作に応じた処理が開始されるようになっている。また、本実施形態が備えるシャッタボタン１０４は、半押しと全押しという２つの操作態様を持つものであって、半押しされたときにはその半押し操作を受けてシステム制御回路１１０が露出調整やピント調整を実行し、さらに全押しされたときには撮影処理を実行するようになっている。
【００２５】
なお、以降の説明においては、半押し操作を意味する符号としてＳ１という符号を用いたり、全押し操作を意味する符号としてＳ２という符号を用いたりすることがある。
【００２６】
また図１には示していないが、本実施形態のデジタルカメラ１は、着脱自在な記憶媒体３００ここではメモリカードが媒体装填室１００Ａに装着されてその媒体装填室１００Ａに装填されたメモリカード３００に撮影画像を表わす画像データが記録されるようになっているので、記憶媒体であるメモリカード３００が媒体装填室１００Ａ内に装着されているかどうかを検知するための記憶媒体着脱検知手段１０８が備えられている。さらに図１には図示されていないが、背面側には画像表示ＯＮ／ＯＦＦスイッチ１０７や背面側に備えられている表示パネルの表面を保護するための防護用扉の開閉を検知する画像表示部開閉検知手段１０９も備えられている。これらの画像表示ＯＮ／ＯＦＦスイッチ１０７や記憶媒体着脱検知手段１０８や画像表示部開閉検知手段１０９それぞれからの信号もシステム制御回路１１０に供給されるようになっていてシステム制御回路１１０はそれらの信号を受けて処理を実行するようにもなっている。
【００２７】
またシステム制御回路１１０は、ズームスイッチ１０６の操作に応じてズーム制御手段１０２０に指示して撮影レンズ１０２１の中のズームレンズを移動させたり、後述するＴＴＬ測距により得た測距結果に応じて測距制御手段１０３０に指示して撮影レンズ１０２１の中のフォーカスレンズを所定の位置に移動させたりもしている。
【００２８】
このシステム制御回路１１０では、ＣＣＤ固体撮像素子１２０で生成された画像信号に基づいて上記ＴＴＬ測距とともにＴＴＬ測光が行なわれている。また、本実施形態のデジタルカメラ１においては、ＣＣＤ固体撮像素子１２０で生成された画像データが画像処理回路１４０を経由して色温度測定回路１４０に供給され色温度測定回路１４１で色温度の測定が行なわれている。この色温度の測定結果に基づいてホワイトバランス処理部が備える各色アンプのゲイン設定などが行なわれて好適なホワイトバランス調整がシステム制御回路１１０内のホワイトバランス処理部で行なわれる。
【００２９】
また、上記ＴＴＬ測光による測光値に応じてシステム制御回路１１０は、露光制御手段１０４０に指示してその露光制御手段に絞り１０４１の開口を調節させたり、さらに撮影時に撮影補助光の発光を行なわせる必要があるかどうかの判定も行っている。また、測光値に応じてシステム制御回路１１０は、シャッタ秒時を定めるとともに、そのシャッタ秒時をタイミング発生回路１２１に通知して撮影時にタイミング発生回路１２１にそのシャッタ秒時に応じた信号を撮像素子に供給させることにより撮像素子の感光面に所定の光量で被写体像を結像させるようにもしている。
【００３０】
さらに測光結果に応じてシステム制御回路１１０が、撮影補助光の発光を行なわせる必要があると判定したときには、発光部１１が備える発光量制御手段１１２に発光量をシャッタ秒時で除した光量を通知してＬＥＤ駆動回路１１３に赤色光を発光するＬＥＤ１１４ｒ，緑色光を発光するＬＥＤ１１４ｇ，青色光を発光するＬＥＤ１１４ｂそれぞれを駆動させることによって、撮影補助光を被写体に向けてシャッタ秒時中照射させるようにしている。
【００３１】
このように本実施形態では、補助光発光を伴う撮影時に、被写界輝度に応じてシステム制御回路１１０がシャッタ秒時を定めた後、発光部１１に、被写体輝度と被写体距離との双方に応じた発光量をシャッタ秒時で除した光量でシャッタ秒時中継続的に撮影補助光を発光させることで被写体側にいる人に眩しいという感じを与えない様にしている。このため、撮影補助光を伴う撮影が行なわれたとしても被写体側にいる人物に眩しさを感じさせ不快感を持たせるようなことが回避される。
【００３２】
以上説明したように、被写体の中に人が存在するときに撮影補助光を伴う撮影が行なわれたとしても、その人に不快感を持たせる様なことのない撮影装置が実現する。
【００３３】
また本実施形態では、システム制御回路１１０内に顔抽出部を設けて被写体中の人の存在をその顔抽出部による顔の抽出により確認することができるようにもしている。
【００３４】
この様にしておくと、被写体の中（特にピントを合わせる部分になる）に人がいるかどうかが分かり、その人がいるところまでの被写体距離に応じた発光光量で撮影補助光を照射させることができるようになる。また、被写体の中に人がいない場合には、わざわざ光量を下げる必要もないので、光量を上げて撮影補助光の照射を行なうことができるようにもなる。
【００３５】
ここで、図２を離れて本発明のデジタルカメラが備える発光部から撮影補助光がどのようにして被写体に照射されるかを、図３を参照して説明しておく。
【００３６】
なお、本明細書中では、ＬＥＤやキセノン管などの発光源から単位時間あたりに発光される光の量を光量と記載し、時間の経過に応じて撮像素子の感光面に与えられる（積分）光量を発光量と記載する。
【００３７】
図３は、ＬＥＤ１１４から単位時間当たりに発光される光量とシャッタ秒時との関係を説明する図である。また、図４は、図３に示す各光量（Ｅｍａｘ，…，０．２Ｅｍａｘ）でＬＥＤを発光させるのにどれだけの電力がそれぞれ必要になるかを説明する図である。
【００３８】
図３には、ＬＥＤから発光される光量と、従来のキセノン管から発光される光量との違いを比較するためにキセノン管から発光される撮影補助光の光量の時間的な推移も点線で示されている。この点線で囲まれた部分の面積が撮像素子の感光面に入射する発光量に該当する。また図３には、ＬＥＤ１１４を用いるとその点線で囲まれた部分の面積と同じ発光量を、ＬＥＤ１１４の光量を下げてもシャッタ秒時を長くすることによりいくらでも得られるということが示されている。さらに図４には、図３に示すようにシャッタ秒時を長くすることができた場合には、ＬＥＤから照射される撮影補助光の光量を低減することにより電力消費が抑えられるということも示されている。
【００３９】
図３に示すようにキセノン管で発光したのと同じ発光光量（点線で囲まれた面積）になるように被写体に向けてＬＥＤで撮影補助光を照射させようとすると、ＬＥＤが持つ最大光量の発光で１／３０ｓという時間が必要であるということが実線で示されている。
【００４０】
しかし、ＬＥＤが持つ最大の光量Ｅｍａｘで１／３０ｓ間継続的に照射させようとすると、図４に示すように消費電力量が増大してしまう。このような消費電力の増大は、撮影補助光の照射中にＬＥＤの温度を上昇させてしまってＬＥＤの光量を一定に維持することを困難にする。
【００４１】
そこで、本実施形態においては、ＬＥＤ１１４の電極間に印加する電圧の大きさを変えることにより光量を容易に制御することができるということを利用して、被写体輝度と被写体距離との双方に応じて算出した発光量をシャッタ秒時で除した光量でシャッタ秒時中継続的に撮影補助光を発光させるようにしている。
【００４２】
このようにしておくと、キセノン管の様にパルス状の閃光が発光されるようなことがなくなり、一定の光量で継続的に被写体に向けて撮影補助光が照射されるようになる。そうするとシャッタ秒時を長くすることができればできるほど、単位時間あたりの光量が下がるため、ＬＥＤを発光させたとしても被写体の中にいる人に眩しいと感じさせることがなくなる。
【００４３】
ここで、図２に戻ってこのような撮影補助光の発光を行なうデジタルカメラ１の動作概要を説明する。
【００４４】
本実施形態においては、デジタルカメラ１の電源スイッチが投入されると、不揮発性メモリ１１０１内の全体処理プログラムの手順にしたがってシステム制御回路１１０によりこのデジタルカメラ１全体の動作が統括的に制御され撮影処理が開始される。この例では電池の消費電力を抑制するためにデジタルカメラ１の電源スイッチ（不図示）が投入されシステム制御回路１１０（システム制御回路１１０には電池からの電力が常に供給されている）により電源スイッチが投入されたことが検知されたときに初めて電池Ｂｔから電源制御手段１１１ｂを介して各ブロックに電力が供給されるようになっている。
【００４５】
まず、このように各部に電力が供給されて動作状態になったデジタルカメラ１の撮影処理に係る処理部の構成および動作を、図２を参照して簡単に説明する。
【００４６】
図２に示すように、図１に示すレンズ鏡胴１００内にはフォーカスレンズやズームレンズといった撮影レンズ１０２１、さらに光量調節用の絞り１０４１などが配備されている。またこの例においてはレンズを保護するレンズバリア１０１１が配備されている例が示されており、電源スイッチが投入されるとそのレンズバリア１０１１が解放されて図１に示すように撮影レンズ１０２１が表面に露出する構成になっている。
【００４７】
この電源スイッチが投入されたときにモードスイッチ１０３が撮影側に切り替えられていた場合には、まず表面に露出した撮影レンズ１０２１を通ってＣＣＤ固体撮影素子１２０に結像された被写体像が、タイミング発生回路１２１からのタイミング信号に基づいて所定の間隔ごと（３３ｍｓごと）に間引かれて出力される。その出力されたスルー画を表わす画像信号（以下スルー画信号）がＡ／Ｄ変換回路１３０でアナログのスルー画信号からデジタルのスルー画信号に変換され、さらにデジタルのスルー画信号がメモリ制御部１１１ａに制御され画像処理回路１４０に導かれる。この画像処理回路１４０でＲＧＢのスルー画信号からＹＣ信号のスルー画信号に変換され、さらにメモリ制御部１１１ａに制御され画像表示メモリ１５１に導かれてスルー画信号がその画像表示メモリ１５１内に記憶されるようになっている。この画像表示メモリ１５１内に記憶された１フレーム分のスルー画信号がメモリ制御部１１１ａにより読み出されてＤ／Ａ変換回路１６０に導かれアナログのスルー画信号に変換されてから画像表示部１５０に供給される。この例では、画像表示部１５０に所定の間隔ごとに新しいスルー画信号を供給することができるようにするために画像表示メモリ１５１を設けて、その画像表示メモリ１５１に少なくとも２フレーム分のスルー画信号を記憶することにより表示タイミングをうまく調整することができるようにしている。
【００４８】
ここでスルー画信号の流れとともに各部の動作を詳細に説明していく。
【００４９】
システム制御回路１１０の制御の下、タイミング発生回路１２１からＣＣＤ固体撮像素子１２０に供給されるタイミング信号（例えば３３ｍｓごと）に応じてＣＣＤ固体撮像素子１２０から被写体像を表わすスルー画信号が後段のＡ／Ｄ変換回路１３０に次々と出力される。このＡ／Ｄ変換回路１３０でアナログのスルー画信号からデジタルのスルー画信号に変換され、さらに変換されたスルー画信号がメモリ制御部１１１ａに制御され画像処理回路１４０に導かれる。この画像処理回路１４０によってＲ色、Ｇ色、Ｂ色の各信号に分離されて色温度測定回路１４１に供給されたり、それらのＲ、Ｇ、Ｂの各色信号が色変換行列により表示用のＹＣ信号に変換されて後段の画像表示メモリ１５１に供給されたりする。Ｒ，Ｇ，Ｂの各色信号の方は後段の色温度測定回路１４１に供給されてこの色温度測定回路１４１により色温度の測定が行なわれたらシステム制御回路１１０内部のホワイトバランス処理部を構成する各色アンプにその測定された色温度に応じたゲインがそれぞれ設定され画像信号のホワイトバランス調整が行なわれる。  
【００５０】
またＹＣ信号の方は、画像表示メモリ１５１に供給され、画像表示メモリ１５１に供給され記憶される。この画像表示メモリ１５１には少なくとも２フレーム分の画像信号が記憶されるようになっており、２フレーム分の画像信号のうち、古い時刻に記憶された１フレーム分の画像信号がＤ／Ａ変換部１６０に導かれアナログ信号に変換されて画像表示部１５０に供給されスルー画が表示画面上に表示される。
【００５１】
前述したようにシステム制御回路１１０ではＴＴＬ測距が行なわれその測距結果に基づいて測距制御手段１０３０に指示して常に合焦点に撮影レンズ１０２１の中のフォーカスレンズを移動させたり、またズームスイッチ１０６が操作されたときにはズーム制御手段１０２０に指示してそのズームスイッチ１０６の操作によるズーム倍率に応じた位置に撮影レンズ１０２１の中のズームレンズを移動させたりしている。
【００５２】
このようにして常にピントのあった、ズームスイッチ１０６の操作位置に応じたズーム倍率のスルー画が表示されているときにシャッタボタン１０４が半押しされたら撮影準備が整えられ、さらに全押しされたら撮影処理が行なわれる。
【００５３】
また、システム制御回路１１０は、シャッタボタン１０４が半押しされた時にＴＴＬ測光やＴＴＬ測距を行ない、シャッタボタン１０４が全押しされたタイミングでタイミング発生回路１２１に露光開始信号をＣＣＤ固体撮像素子１２０に向けて供給させている。このときにＴＴＬ測光の測光結果により撮影補助光の発光が必要であるとシステム制御回路１１０が判定した場合には全押しタイミングで発光量制御手段１１２に指示してシャッタボタン１０４の押下に同期してシャッタ秒時中撮影補助光を発光部１１に継続的に発光させる様にしている。
【００５４】
こうして撮影補助光が発光されて十分な発光量が確保されたら、システム制御回路１１０は、タイミング発生回路１２１に指示を出して露光終了信号をＣＣＤ固体撮像素子１２０に向けて供給させる。
【００５５】
そうするとその露光終了信号に同期してＣＣＤ固体撮像素子１２０からＡ／Ｄ変換回路１３０に画像信号が出力される。このＡ／Ｄ変換回路１３０でＣＣＤ固体撮像素子１２０から出力されたアナログの画像信号がデジタルの画像信号に変換され、さらにこのデジタルの画像信号がメモリ制御部１１１ａに制御されバスを経由してメモリ１８０に供給される。そのメモリ１８０にＣＣＤ固体撮像素子１２０が備えるすべての画素からなる画像信号がすべて記憶されたら、今度はシステム制御回路１１０の制御の下にその画像信号が読み出されてシステム制御回路１１０内で前述のホワイトバランス調整やガンマ補正などが行なわれる。さらにホワイトバランスに応じた撮影補助光の発光により得た画像信号にホワイトバランス調整やガンマ補正が行なわれた後、画像信号がバスを介して画像処理回路１４０に供給されＹＣ信号への変換が行なわれる。さらにＹＣ信号からなる画像信号がバスを介して圧縮・伸張回路１９０に供給されＹＣ信号からなる画像信号が圧縮されて記憶媒体２００ここではメモリカードに記憶される。
【００５６】
以上説明した様に、撮影補助光の光量を下げて継続的に撮影補助光を照射させるようにすると、被写体である人に眩しいと思わせるような撮影補助光の照射が行なわれなくなる。また、シャッタ秒時中継続的に撮影補助光を照射させるようにしているのでトータルの発光量（積分光量）が充分に確保され光量不足が起こることもない。
【００５７】
なお、カメラボディ側面部にあるコネクタ１１０５にケーブルを介してアンテナが接続されると外部との間で無線通信が行なえる通信手段１１０４や、操作内容をユーザに伝える表示部１１０２やメモリ１１０３なども配備されている。
【００５８】
最後に本実施形態のデジタルカメラが備えるシステム制御回路１１０が行なう撮影補助光の照射処理の手順を、フローチャートを参照して説明する。
【００５９】
図５は、システム制御回路１１０が行なう撮影処理の手順を示すフローチャートを示す図である。
【００６０】
ステップＳ５０１でシャッタボタン１０４が半押し（Ｓ１）されたかどうかを判定する。ステップＳ５０２で半押しされたと判定したらＹｅｓ側に進み次のステップＳ５０２でＴＴＬ測光（ＡＥ）およびＴＴＬ測距（ＡＦ）を行なう。さらに次のステップＳ５０３へ進み、ステップＳ５０３でＴＴＬ測光の結果に基づいて撮影補助光の発光が必要であるかどうかを判定する。このステップＳ５０３で撮影補助光の発光が不要であると判定したら、ステップＳ５２５へ進んでステップＳ５２５で全押し操作Ｓ２を待ち受けて全押しされたら次のステップＳ５３０へ進んでステップＳ５３０で撮影処理を行なってこのフローの処理を終了する。
【００６１】
また、ステップＳ５０３で撮影補助光の発光が必要であると判定したら、ステップＳ５０４へ進んでステップＳ５０４でステップＳ５０２のＡＥ処理の結果に基づいてシャッタ秒時を定める。さらに次のステップＳ５０５へ進んで前述した顔抽出部による顔抽出処理により被写体中に顔があるかないかを判定し、ステップＳ５０５で顔無しと判定したら、ステップＳ５１５へ進んで全押し操作を待つ。このステップＳ５１５でシャッタボタンが全押しされたと判定したら、ステップＳ５２０へ進んでシャッタ秒時中、発光部１１に撮影補助光の発光を継続的に行なわせるとともに次のステップＳ５３０で撮影処理を行なってこのフローの処理を終了する。
【００６２】
また、ステップＳ５０５で顔在りと判定したら、ステップＳ５０６でＴＴＬ測距結果に基づいて顔までの距離を測定し撮影補助光の発光量を算出する。次のステップＳ５０７へ進んでステップＳ５０６で算出した発光光量を上記シャッタ秒時で除した値が最大の光量Ｅｍａｘを超えるかどうかを判定する。
【００６３】
このステップＳ５０７でＬＥＤ１１４が発光することができる光量のうちの最大の光量Ｅｍａｘ（図３、図４参照）を超えていないと判定したらＮｏ側に進み、ステップＳ５０８でシャッタボタンの全押し操作Ｓ２を待つ。このステップＳ５０８でシャッタボタンが全押しされたと判定したら、次のステップＳ５２０でシャッタ秒時中、発光部１１に撮影補助光の発光を継続的に行なわせるとともに次のステップＳ５３０で撮影処理を行なってこのフローの処理を終了する。
【００６４】
ステップＳ５０７で発光量をシャッタ秒時で除した値が最大の光量Ｅｍａｘ（図３参照）を上回っていると判定したら、ステップＳ５４０へ進んで感度ＵＰが可能であるかどうかを判定する。ここで不可能であったら、Ｎｏ側に進んでステップＳ５５０で撮影補助光を照射させても明るさが保てず画像全体の明るさが暗くなる旨の表示を表示画面１５０１上に表示して、それでも全押しされたらステップＳ５２０に進んで十分な撮影光量が得られないことが分かっていても撮影補助光を照射させてステップＳ５３０で撮影処理を行なってこのフローの処理を終了する。
【００６５】
またステップＳ５４０で感度ＵＰが可能であると判定したら、ステップＳ５４１で感度ＵＰを行なってステップＳ５０６に戻り、ステップＳ５０６で感度ＵＰに応じて撮影補助光の発光量を再度算出し直す。次のステップＳ５０７で発光量をシャッタ秒時で除した値が、最大の光量Ｅｍａｘを超えるかどうかを判定する。以降同様の処理を行なってステップＳ５３０で撮影処理を行なってこのフローの処理を終了する。
【００６６】
なお、この例では撮影感度を上げるようにしたが、シャッタ秒時を長くすることができれば撮影感度はそのままにしてシャッタ秒時を長くして単位時間あたりの光量を下げるようなことを行なっても良い。
【００６７】
以上説明したように、被写体の中に人が存在するときに撮影補助光を伴う撮影が行なわれたとしても、その人に不快感を持たせる様なことのない撮影装置が実現する。
【００６８】
上記のような構成でも良いが、ＬＥＤの発光電力はキセノン管に比べるとまだまだ小さい。ＬＥＤの数を多くすることで発光電力を稼ぐこともできるが、ＬＥＤの最大の光量Ｅｍａｘを超え、かつ顔までの被写体距離が所定の距離以上であるときにはキセノン管から撮影補助光を発光させたとしても被写体側の人がまぶしいと感じることはない。
【００６９】
このようなことを考えると、発光部がＬＥＤに加え、さらにキセノン管を備えていた方が良い。
【００７０】
図６は、第二実施形態を示す図であって、キセノン管１１６を備えた発光部１１Ａを付加した場合の構成を示す図である。
【００７１】
図６に示す様に、図２に示す構成に加えて、キセノン管駆動回路１１５とそのキセノン管回路により駆動されるキセノン（Ｘｅ）管１１６が付加されている。
【００７２】
システム制御回路１１０がＴＴＬ測距を行なった結果、所定の距離以内に顔抽出部により抽出された顔が在ると判定した場合には、発光量制御手段１１２に指示してＬＥＤ駆動回路１１２に３つのＬＥＤ１１４ｒ，１１４ｇ，１１４ｂを駆動させることによって撮影補助光を発光させ、所定の距離を越える距離に顔抽出部により抽出された顔が在ると判定した場合、もしくは被写体中には顔が存在しないと判定した場合には、キセノン管駆動回路１１５にキセノン（Ｘｅ）管１１６を駆動させることによって撮影補助光を発光させるように改良している。このようにしておくと、被写体の状況に応じてＬＥＤ１１４あるいはキセノン（Ｘｅ）管１１６のいずれかを使って各々に撮影補助光の照射を好適に行なわせることができる。
【００７３】
図７は、システム制御回路が行なう撮影補助光の発光処理の手順を示すフローチャートである。
【００７４】
ステップＳ５０７ＭとステップＳ５５０ＭとステップＳ５５２の処理以外は図５と全く同じ処理である。
【００７５】
ステップＳ５０７Ｍで顔までの被写体距離ｌが所定の距離以上であってしかもＬＥＤの最大の光量Ｅｍａｘを超えると判定したときには、ステップＳ５４０へ進んで感度ＵＰが可能であるかどうかを判定し、感度ＵＰが不能であった場合には、ステップＳ５５０Ｍで‘キセノン（Ｘｅ）管で発光’と表示画面上に表示して、ステップＳ５５１でシャッタボタンの全押し操作Ｓ２を待って全押しされたらステップＳ５５２でキセノン管１１６に撮影補助光を照射させるように変更している。
【００７６】
このようにすると、人がいるところまでの被写体距離等に応じて、また被写体中に人がいるかいないかによってキセノン管１１６とＬＥＤ１１４とを適宜切り替えて適応的に撮影補助光を照射させることができるようになる。
【００７７】
以上説明したように被写体中に人が存在するときに撮影補助光を伴う撮影が行なわれたとしても、その人に不快感を持たせる様なことのない撮影装置が実現する。また、ＬＥＤの光量を下げてシャッタ秒時を長くするようにしているので、単位時間あたりの消費電力が軽減されＬＥＤの温度上昇を抑制することができるという効果も得られる。
【００７８】
なお、本実施形態では、発光素子としてＬＥＤを例に掲げたが、発光素子は有機ＥＬであっても良い。
【図面の簡単な説明】
【００７９】
【図１】本発明の一実施形態であるデジタルカメラ１の外観を示す図である。
【図２】図１のデジタルカメラ１の内部の構成を示す構成ブロック図である。
【図３】ＬＥＤの発光量とシャッタ秒時との関係を説明する図である。
【図４】発光量で照射させるのにどれだけの電力が必要になるかを説明する図である。
【図５】システム制御回路が行なう撮影処理の手順を示すフローチャートを示す図である。
【図６】第二実施形態を示す図であって、キセノン管を備えた発光部を付加した場合の構成を示す図である。
【図７】システム制御回路が行なう撮影補助光の発光処理の手順を示すフローチャートである。
【符号の説明】
【００８０】
１  １Ａ  デジタルカメラ
１００    レンズ鏡胴
１０１    ファインダ
１０２    発光窓
１０３    モードスイッチ
１０４    シャッタボタン
１０６    ズームスイッチ
１０７    画像表示ＯＮ／ＯＦＦスイッチ
１１０    システム制御回路
１２０    ＣＣＤ固体撮像素子
１３０    Ａ／Ｄ変換回路
１４０    画像処理回路
１４１    色温度測定回路
１１  １１Ａ    発光部
１１２    発光量制御手段
１１３  ＬＥＤ駆動回路
１１４  ＬＥＤ
１１４ｒ  １１４ｇ  １１４ｂ  ＬＥＤ
１１５    Ｘｅ管駆動回路
１１６    Ｘｅ管
【図１】
2007187855.tif 000003
【図２】
2007187855.tif 000004
【図３】
2007187855.tif 000005
【図４】
2007187855.tif 000006
【図５】
2007187855.tif 000007
【図６】
2007187855.tif 000008
【図７】
2007187855.tif 000009